(57)【特許請求の範囲】
【請求項１】
取り付け軸(12)と作業用端部(14)とをもつドライバ先端部(13)、及び、該ドライバ先端部(13)の取り付け軸に連結可能な取り付け頭部(21)とチャック軸(19)とをもつチャック(20)のための保管容器(1)であって、
（ａ）矩形の正面及び背面とその周囲の４つの側面とを備え該正面と該背面との間隔を厚さ(D)とする略直方体形状の第１のケース部品(2)と、該第１のケース部品(2)より縦横とも大きい矩形の正面(S)及び背面とその周囲の４つの側面とを備え前記第１のケース部品と同じ厚さである略直方体形状の第２のケース部品(3)とを有し、
（ｂ）前記第１のケース部品(2)は旋回容器(4)を形成し、前記第１のケース部品(2)及び前記第２のケース部品(3)のそれぞれにおける一つの側面の両端部(E,E')間に設けられた旋回軸(5)によって該第１のケース部品(2)が該第２のケース部品(3)に対して旋回可能に取り付けられ、
（ｃ）前記第１のケース部品(2)には、
（ｃ１）前記ドライバ先端部(13)の取り付け軸(12)の収容部であって前記第１のケース部品(2)の厚さ(D)より小さい直径をもつ筒状であり前記旋回軸に対し垂直に延びて該旋回軸に対し平行な一つの側面において開口する収納ポケット(11)と、
（ｃ２）前記チャック(20)の取り付け頭部(21)の収容部であって前記第１のケース部品(2)における正面と背面の間を貫通しかつ前記旋回軸に対し垂直な一つの側面から該旋回軸に対し平行に延びるコ字状の切欠き(18)と、
（ｃ３）前記チャック(20)のチャック軸(19)の収容部であって前記第１のケース部品(2)の厚さ(D)より小さい直径をもつ筒状であり前記収納ポケット(11)の底部と前記旋回軸(5)の間において該旋回軸に対し平行に延びて前記切欠き(18)の最奥面に開口する挿入孔(17)とが形成されており、
（ｄ）前記第２のケース部品(3)には、
（ｄ１）前記第２のケース部品(3)における正面(S)と背面の間を貫通する孔であって前記旋回軸(5)に隣接する略直方体形状の空スペース(F)と、
（ｄ２）前記旋回軸(5)とは反対側において前記空スペース(F)に連続する空間であって前記第２のケース部品(3)における正面(S)から厚さ方向に切り欠いた補完的空スペース(F')とが形成されており、
（ｅ）前記第１のケース部品(2)を旋回させて前記空スペース(F)内に入れ該第１のケース部品を隙間無く収納することにより、前記保管容器(1)を閉じられた状態とすることができ、
（ｆ）前記ドライバ先端部(13)は、
（ｆ１）その取り付け軸(12)が前記収納ポケット(11)に挿入されると共に、その作業用端部(14)が該収納ポケットの開口から常に突出して外部から視認可能であり、
（ｆ２）前記保管容器(1)を閉じられた状態としたとき、前記作業用端部(14)が前記補完的空スペース(F')内に収納され、かつ
（ｆ３）前記第１のケース部品(2)を前記第２のケース部品(3)に対し鋭角又はそれ以上の角度に旋回させた状態のとき、該ドライバ先端部(13)を取り出し可能であり、
（ｇ）前記チャック(20)は、
（ｇ１）そのチャック軸(19)が前記挿入孔(17)に挿入されると共に、その取り付け頭部(21)が前記切欠き(18)内に位置しかつ該取り付け頭部(21)の直径が前記第１のケース部品(2)の厚さ(D)より大きいことにより該取り付け頭部(21)の一部が該切欠き(18)から常に突出して外部から視認可能であり、
（ｇ２）前記保管容器(1)を閉じられた状態としたとき、前記切欠き(18)を形成した前記第１のケース部品(2)の一つの側面が前記空スペース(F)の一つの側面と当接することにより該切欠き(18)の該側面における開口が塞がれ、かつ
（ｇ３）前記第１のケース部品(2)を前記第２のケース部品(3)に対し直角に旋回させた状態のときにのみ該チャック(20)を取り出し可能であることを特徴とする保管容器。
【請求項２】
前記第２のケース部品(3)における前記背面側において前記空スペース(F)内に延びた平板状の旋回ストッパ(22,23)を有することを特徴とする請求項１に記載の保管容器。
【請求項３】
前記保管容器(1)を閉じられた状態としたとき、前記第１のケース部品(2)における前記収納ポケット(11)が開口する一つの側面の一部と、前記第２のケース部品(3)における前記空スペース(F)の一つの側面の一部とが当接し、これらの当接する部分のそれぞれに対し互いに係合する固定装置(26,27,28,29)を設けたことを特徴とする請求項１又は２に記載の保管容器。
【請求項４】
挿入された前記ドライバ先端部(13)を軸方向に固定するために、前記補完的空スペース(F')に突き出たフィン形ストッパ(15)を設けたことを特徴とする請求項１〜３のいずれかに記載の保管容器。
【発明の詳細な説明】
本発明はドライバ先端部または類似品、およびそれに使用される１個のチャックが保管される保管容器に関するものであって、取り付け軸が収納ポケットに差し込まれているドライバ先端部および取り付け開口を持つ頭部のあるチャックが保管容器を開くことにより取出し可能となっている。
既知の形状においては保管容器はドライバ先端部とチャックを収納する２個のケースから構成される。ケースにはカバーが設けられるので、保管容器が閉じられた状態ではドライバ先端部およびチャックは見えなくなる。また、ドライバ先端部およびチャックがどのような品物であるかを外部から知ることができない。このような保管容器は例え透明な包装で保管容器は見えるにしても販売促進効果は無い。
本発明の目的は、消費者に便利で販売促進効果のあるこの種の保管容器の構造を提供するという課題に基くものである。
この問題はドライバ先端部の作業用端部およびチャックの頭部が閉じられた状態で外部に露出するという請求項１の特徴を有する保管装置により初めて根本的に解決される。
この構成により使用価値の高い保管容器が提供される。保管容器の内容を観察するためにそれ自体を開ける必要はない。ドライバ先端部の作業用端部は観察者または使用者に見えるように保管される。チャックの頭部についても同様である。観察者または使用者はドライバ先端部およびチャックの種類を識別できる。さらに、保管容器に適切な数のドライバ先端部が収納されているかどうかを知ることができる。それに加え本発明による構造は販売促進効果がある。保管容器が透明な梱包ケースに入っていると、観察者は同時に保管容器の内容物の種類を確認することができる。さらに保管容器は閉じられた状態でドライバ先端部およびチャックがそれぞれの決められた位置から動かないように構成されている。
同様に本発明の課題は請求項１の特徴により解決される。ここで第２のケース部品の両側の幅の広い面に貫通する空スペースが設けられ、閉じられた状態の旋回容器を隙間なく収納し、かつ閉じられた状態で収納ポケットの開口部に連続する作業用端部を収納するために利用される第２のケース部品の補完的空スペースがその幅の広い面の平面側に設けられている。第２のケース部品の両側の幅の広い面に設けられ旋回容器を隙間なく収納する空スペースにより、保管容器の高さを著しく低くすることができ、例えば輸送、販売および小売における省スペースに有効に寄与する。さらにこの方法により材料の使用量を低く抑えることができるので、総合的にこのような保管容器は低価格で製作することができる。両側の幅の広い面に貫通して設けられた空スペースにより、旋回容器が開かれた使用状態で例えば作業する手の親指または人差し指で旋回容器を直接掴むことができる。さらに、閉じられた状態で使用者が旋回容器のどの収納ポケットが使用されどんな種類の作業用端部が装着されているかを見ることができる。これらは収納ポケットに連続する第２のケース部品の補完的空スペースにあり、従って観察者が見ることができる。さらに補完的空スペースは収納ポケットから突き出した作業用端部の長さに適合させてあるので、工具またはドライバ先端部は閉じられた状態で決められた通りに収納ポケットに保管される。
使用性に関しては収納ポケットが旋回軸に対して半径方向の距離を持っていると有用である。それに対応して旋回容器が構成される。比較的大きな梃子アーム距離が与えられ旋回容器の開閉が容易である。
さらに旋回軸と平行に旋回軸と収納ポケットの間に配置された挿入孔が好都合に設けられる。挿入孔は旋回軸(5)に対し垂直方向の側面及び面積が最も広い面である平面及び底面に開口する開口部に結合され、閉じられた状態でその挿入孔の前方は第２のケース部品の一部分である軸方向の延長部で塞がれる。旋回軸と収納ポケットの間の空スペースはこのようにして挿入孔ならびに縁側および幅の広い側に開口する開口部を設けるために使用される。挿入孔はチャックの軸部の収納に、開口部はチャックの頭部の収納に使用される。旋回容器が閉じられた状態で、第２のケース部品の一部が切り欠きの前を塞ぎチャックの軸方向位置を固定する。チャックは例えばドライバ先端部の角形取り付け軸が挿入できるように製作される。幅の広い側に開口する開口部は使用者に容器内にチャックがあるかないかを認識させる。挿入孔に瞬間的に位置合わせするため対向する部分に取り付け穴を設けると、閉じられた保管容器においてもドライバ先端部をチャックに取付けることができる。挿入孔とチャックの軸が形状的に結合されるように構成すると保管容器は作業用操作具として使用できる。
さらに鋭角的な開放状態において収納ポケットに収納されている工具を取出すことができ、その軸が挿入孔に挿入され径の大きな取り付け頭部が開口部に取り付けられているチャックは、大きな角度特に直角の開放状態で初めて取出すことができることが強調される。ドライバ先端部を取出すためには、作業用端部が補完的空スペースを離れる程度の鋭角的な旋回容器の開放で十分である。しかしチャックの取出しには大きな角度または直角の開放位置が必要である。その位置でチャックは初めて第２のケース部品で塞がれることなく、従ってチャックを取出したり格納することができる。
本発明の別の好都合な特徴は、旋回容器の厚さが第２のケース部品の厚さと一致していることである。そのため閉じられた状態で両者のケース部品の幅の広い面は一致し、外観上非常に好ましく見える。
さらにチャックの取り付け頭部の直径は旋回容器の厚さよりも大きくなっている。これは旋回容器の幅の広い面に開口部を設けることによって可能となる。勿論直径の小さい取り付け頭部のチャックも旋回容器に保管することができる。
旋回容器を閉じたときに旋回容器が空スペース外に振れ動くことがないよう、少なくとも１個の側面の旋回ストッパが設けられる。
旋回容器の閉じられた状態を確実に維持するため、軸に平行な合わせ面に閉鎖固定状態で噛み合うを固定装置が設けられる。
最後に、好都合な特徴として装着された工具の軸方向の固定のために補完的空スペースに突き出したフィン形ストッパが設けられている。
以下本発明の２つの実施例を図面によって説明する。
図１  本発明による第１の実施例により構成された工具を収納した旋回容器が開放状態にある保管容器の透視図
図２  補完的空スペースに収納された工具の作業用端部が見える閉鎖された状態の保管容器の俯瞰図
図３  図２の側面図
図４  保管容器の裏面図
図５  図２の保管容器の側面図
図６  図２の線VI-VIに沿った断面図
図７  図５の線VII-VIIに沿った断面図
図８  図２の線VIII-VIIIに沿った断面図
図９  図８に対応する旋回容器が開放されて取出し状態の断面図
図１０ 第２の実施例による図７に対応する断面図で、ドライバ先端部が閉鎖された保管容器に収納されたチャックに挿入されている点が異なっている
図１１ 図１０の線ＸＩ-ＸＩに沿った断面図
図１乃至９に示される第１の実施態様において保管容器１は第１のケース部品２と第２のケース部品３を備えている。第１のケース部品２は旋回軸５がケース部品２と３の間のケース部品端部ＥまたはＥ′にある旋回容器４を形成する。旋回容器４が閉じられた状態で保管容器１は矩形の平面図となり、保管容器の長さＬは旋回容器の幅より大きくなる。
旋回軸５を形成するためケース部品の端部Ｅ′には第２のケース部品３の端部Ｅの軸受穴７に突き出す中空ピン６が形成される。
平面図で分かるように、第２のケース部品３はその端部に軸受穴７を備えた部品の一部分８、９によりＵ形の脚部が構成されたＵ形に形成されている。Ｕ形の内部スペースは第２のケース部品３の幅の広い面の両側に開口する空スペースＦを形成し、閉鎖される旋回容器４を隙間なく収容する。
旋回容器４の旋回軸５に平行に走る狭い側面１０には袋孔状の収納ポケット１１が連続して設けられる。各収納ポケット１１には、工具を構成するドライバ先端部１３の断面が六角形に形成された取り付け軸１２が収納ポケット１１またはその開口部から作業用端部１４が突き出すように挿入できる。連続的に設けられる収納ポケット１１は狭い側面１０の一部分にだけ設けられる。旋回容器４が閉じられた状態で、収納ポケット１１の開口部は作業用端部１４を収納するために利用される第２のケース部品３の補完的空スペースＦ′に連続する。この補完的空スペースは第２のケース部品３の正面側の幅の広い面Ｓに開口している。
補完的空スペースＦ′にはフィン形ストッパ１５が設けられる。ストッパは補完的空スペースＦ′に突き出すかストッパにより補完的空スペースを仕切ることができる。旋回容器４が閉じられた状態で各作業用端部１４はフイン１５の中央に対向するように収納されるので、工具またはドライバ先端部１３は軸方向の位置が固定される。さらにフィン形ストッパ１５に平行に空スペースＦまで延びる仕切り壁１６が設けられ、作業用端部１４を互いに分離する。
特に図６および８から明らかなように、旋回容器４の厚さＤは第２のケース部品３の厚さと一致している。すなわち、閉じられた状態で第１のケース部品２と第２のケース部品３の幅の広い面は互いに同一面となる。旋回軸５に対して半径方向の距離を持って配置されている収納ポケット１１と旋回軸５の間には、旋回軸と平行に側面および幅の広い面側に向いた開口部１８を持つ挿入孔１７が設けられる。この開口部は順次配置されている収納ポケットの開口部に向いた最初の収納ポケット１１の直ぐ手前で終わる。特に図７から明らかなように、旋回容器４が閉じられた状態で挿入孔１７および開口部１８の手前は第２のケース部品３における旋回軸５に対し垂直方向の側面８，９のうち開口に対向する側面９で塞がれる。挿入孔１７は破線で示されたチャック２０の軸１９を収納するために使用され、チャックの軸１９より直径の大きな取り付け頭部２１は開口部１８に配置される。図５および６から明らかなように、取り付け頭部２１は旋回容器４の厚さＤよりも大きな直径とすることができる。
旋回容器４が閉じられたとき空スペースＦからはみ出さないように、ケース部品の一部の８、９にはそれぞれその側面に旋回ストッパ２２および２３が突き出して設けられる。ストッパ２２、２３の平面形状に対応して旋回容器４の対応する幅の広い面には切り欠き２４および２５が構成され、従って、旋回容器４が閉じられた状態でストッパ２２、２３はこれらの切り欠き２４、２５に正確に嵌め込まれる。
旋回容器４の閉鎖位置を固定するため旋回容器(4)が閉じられた状態のときに、該旋回容器(4)と第２のケース部品(3)が接する面のうち前記旋回軸(5)に平行な面のそれぞれに固定装置が設けられる。その一つは狭い面１０に設けられた固定溝２６でほぼ開口部１８の全長に延びている。さらにこの狭い面上に固定溝２６と離れて固定窪み２７が設けられる。固定溝２６は空スペースＦに突き出した固定堤２８と共同して作用する。固定窪み２７は仕切り壁１５に設けた固定突起２９と係合する。
閉じられた保管容器１においてドライバ先端部１３の作業用端部１４を使用者は見ることができる。チャック２０についても同様である。１個または数個のドライバ先端部１３を取出すために旋回容器４は固定装置を外して図１および９に示す位置に開く。この位置ではケース部品の一部９は開口部１８を塞ぐことなく、その中に収納されているチャック２０を取出すための阻害にはならない。チャックは挿入孔１７から取出すことができ、収納ポケット１１から取出したドライバ先端部１３を取付けることができる。
ドライバ先端部１３の取出しは鋭角的な開放状態でも実施することができる。この状態ではチャック２０を取出すことはできない。
収納ポケット１１はドライバ先端部１３の取り付け軸１２を摩擦保持するように寸法を決めることもできる。同様に挿入孔１７と軸１９も摩擦保持することもできる。
図１０および１１に示す第２の実施態様における保管容器１′も同じ記号の同じ構成部品を持っている。差異はチャック２０′が瞬間交換チャックとして構成されていることである。チャックの軸１９′は挿入孔１７′に形状的に結合するように挿入される。すなわち軸１９′と挿入孔１７′は同じ断面形状に構成される。取り付け頭部２１′にはばね式の操作スリーブ３０が設けられている。このスリーブにより頭部を軸に対して規定された方向に変位させると、ドライバ先端部１３をチャック２０′に取付けることができる。
チャックへの装着は保管容器１′に収納されたチャック２０′に対して実施することができる。このためケース部品の一部９の挿入孔１７′に一致する位置に穴３１が設けられる。穴はドライバ先端部１３の取り付け軸１２が貫通できる大きさとなっている。操作スリーブ３０を変位させるとドライバ先端部が図１０に示される位置に取り付けられる。同時にドライバ先端部によって保管容器１′が閉鎖位置に固定される。チャック２０′の軸１９′と旋回容器４の挿入穴１７′の形状的な結合により、保管容器１′は作業用操作具として使用され、例えばねじをねじ込んだり緩めたりすることができる。
保管容器１′を開くためにはチャック２０′に装入されたドライバ先端部を取り外すことが必要である。
開示されたすべての特徴は本発明に対し基本的なものである。従って、対応する／添付の優先書類（事前出願のコピー）の開示もまたすべて本出願の開示内に含まれるものであり、その目的のためこれらの書類の特徴もこの出願の請求事項に含まれるものである。
【図１】
0004049396.tif 000002
【図２】
0004049396.tif 000003
【図３】
0004049396.tif 000004
【図４】
0004049396.tif 000005
【図５】
0004049396.tif 000006
【図６】
0004049396.tif 000007
【図７】
0004049396.tif 000008
【図８】
0004049396.tif 000009
【図９】
0004049396.tif 000010
【図１０】
0004049396.tif 000011
【図１１】
0004049396.tif 000012